(57)【特許請求の範囲】
【請求項１】
着用時に着用者の腹側に配される腹側シートと、着用時に着用者の背側に配される背側シートと、腹側シート及び背側シートに亘って固定された吸収性本体とを具備し、前記腹側シート及び前記背側シートそれぞれの両側縁部が接合されてウエスト開口部と一対のレッグ開口部とが形成されたパンツ型吸収性物品であって、
前記吸収性本体は、長方形の吸収体と、該吸収体の非肌当接面に配された吸収体外層材とから形成されており、
パンツ型吸収性物品の展開状態において、前記吸収体外層材は、折り返されない状態で配置され、その状態で該吸収体外層材は、前記腹側シートから前記背側シートに向かって、所定の長さまでは同じ幅であり、同じ幅の部位の前記背側シート側の端縁から前記背側シートに向かってその幅が漸次広がるように形成されているパンツ型吸収性物品。
【請求項２】
前記吸収体外層材を構成する同じ幅の部位は、その幅が前記吸収体の幅と同じである請求項１に記載のパンツ型吸収性物品。
【請求項３】
前記吸収体は、吸収体コア、該吸収体コアを包むコアラップ、該コアラップの肌当接面を覆う表面シートと、前記吸収体の両側部に起立する一対の立体ギャザーとを有し、
前記吸収体外層材は、前記表面シートの非肌当接面に前記コアラップを介して配された裏面シート、該裏面シートの肌当接面を覆う不織布を有している請求項１又は２に記載のパンツ型吸収性物品。
【請求項４】
前記背側シートは、背側シート本体及び着用時に該背側シート本体の下縁に沿って下方に延出する背側延出部分を備えている請求項１〜３の何れかに記載のパンツ型吸収性物品。
【請求項５】
前記腹側シートは、腹側シート本体及び着用時に該腹側シート本体の下縁に沿って下方に延出する腹側延出部分を備えて、該腹側延出部分の延出の長さが、前記背側延出部分の延出の長さと同じである請求項１〜４の何れかに記載のパンツ型吸収性物品。
【発明の詳細な説明】
【技術分野】
【０００１】
本発明は、使い捨ておむつ等のパンツ型吸収性物品に関する。
【背景技術】
【０００２】
従来のパンツ型吸収性物品として、外包体が、着用時に着用者の腹側に配される腹側シートと、着用時に着用者の背側に配される背側シートとに分割されており、吸収性本体が、腹側シート及び背側シートに架け渡すように固定されていると共に、腹側シートの左右の両側縁部と背側シートの左右両側縁部とが接合されているパンツ型吸収性物品が知られている。例えば、特許文献１には、前述のようなパンツ型吸収性物品として、幅の広いシートを折り込み台形状にしたトップシート、このトップシートの台形状に等しい形状のバックシート、これらのシート間に挟持された吸収体を具備するおむつ本体に、おむつ本体の上下端部それぞれに、おむつ本体の幅よりも長い弾性体ベルトを固定してなる簡易立体おむつが記載されている。
【０００３】
このような特許文献１に記載の簡易立体おむつにおいては、平面視して台形形状のおむつ本体の上底と上底よりも長い下底とのどちらを、着用者の腹側に向けて簡易立体おむつを装着するかについて記載されておらず、例えば、おむつ本体の下底側を着用者の腹側に向けて装着する場合には、所謂レッグホールの着用者の腹側が小さくなり、脚を通し難くなり、簡易立体おむつを履かせ難く、また、着用時に脚を動かし難い。
【０００４】
また、例えば、特許文献２には、前述のようなパンツ型吸収性物品として、横方向に並行して伸びる腹側シートおよび背側シートと、体液吸収体を備え腹側シートおよび背側シートを連結する股間シート部材とを具備し、腹側シートおよび背側シートには、横方向に伸長した胴回弾性部材が配されており、胴回弾性部材の伸長を開放した際、股間シート部材の横方向の幅が、腹側シートとの境界での幅よりも、背側シートとの境界での幅の方が大きい使い捨ておむつが記載されている。
【０００５】
このような特許文献２に記載の使い捨ておむつにおいては、背側シートに配された胴回弾性部材の応力が腹側シートに配された胴回弾性部材の応力より高いので、特許文献２に記載の使い捨ておむつは、股間シート部材の横方向の幅が、腹側シートとの境界よりも、背側シートとの境界の方が大きく形成されている。このように、胴回弾性部材の収縮力により股間シート部材の横方向の幅をコントロールする場合、背側が十分に広がらず、臀部を十分に覆えず、軟便などを十分に捕捉し難い。
【先行技術文献】
【特許文献】
【０００６】
【特許文献１】特開平１−２９８２０２号公報
【特許文献２】特開２００９−６１０４６号公報
【発明の概要】
【発明が解決しようとする課題】
【０００７】
したがって、本発明の課題は、外装体が、着用者の腹側に配される腹側シートと着用者の背側に配される背側シートとに分割されたタイプのパンツ型吸収性物品でありながら、履かせ易く、着用時に脚を動かし易く、着用時に着用者の背側において、着用者の臀部を十分に被覆することができ、軟便などを十分に捕捉することができるパンツ型吸収性物品を提供することにある。
【課題を解決するための手段】
【０００８】
本発明は、着用時に着用者の腹側に配される腹側シートと、着用時に着用者の背側に配される背側シートと、腹側シート及び背側シートに亘って固定された吸収性本体とを具備し、前記腹側シート及び前記背側シートそれぞれの両側縁部が接合されてウエスト開口部と一対のレッグ開口部とが形成されたパンツ型吸収性物品であって、前記吸収性本体は、長方形状の吸収体と、該吸収体の非肌当接面に配された吸収体外層材とから形成されており、パンツ型吸収性物品の展開状態において、前記吸収体外層材は、前記腹側シートから前記背側シートに向かって、所定の長さまでは同じ幅であり、同じ幅の端縁から前記背側シートに向かってその幅が漸次広がるように形成されているパンツ型吸収性物品を提供するものである。
【発明の効果】
【０００９】
本発明のパンツ型吸収性物品によれば、履かせ易く、着用時に脚を動かし易く、着用時に着用者の背側において、着用者の臀部を十分に被覆することができ、軟便などを十分に捕捉することができる。
【図面の簡単な説明】
【００１０】
【図１】図１は、本発明の第１実施形態であるパンツ型使い捨ておむつの斜視図である。
【図２】図２は、図１に示すパンツ型使い捨ておむつを伸長させて拡げた状態を表面シート側から見た平面図である。
【図３】図３は図２のＸ１−Ｘ１線断面図である。
【図４】図４は、本発明の第２実施形態であるパンツ型使い捨ておむつの斜視図である。
【図５】図５は、図４に示すパンツ型使い捨ておむつを伸長させて拡げた状態を表面シート側から見た平面図である。
【図６】図６は図５のＸ２−Ｘ２線断面図である。
【発明を実施するための形態】
【００１１】
以下、本発明のパンツ型吸収性物品を、その好ましい第１実施形態に基づき、図１〜図３を参照しながら説明する。
【００１２】
第１実施形態のパンツ型使い捨ておむつ１Ａ（以下、「おむつ１Ａ」ともいう。）は、図１に示すように、着用時に着用者の腹側に配される腹側シート２Ａと、着用時に着用者の背側に配される背側シート２Ｂと、腹側シート２Ａ及び背側シート２Ｂに亘って固定された吸収性本体３とを具備し、腹側シート２Ａの両側縁部２ａ，２ａと背側シート２Ｂの両側縁部２ｂ，２ｂとが接合されてウエスト開口部ＷＯと一対のレッグ開口部ＬＯ，ＬＯとが形成されている。
おむつ１Ａは、図１〜図２に示すように、中心線ＣＬに対して左右対称に形成されている。従って以下の説明では、左右対称な部分については、主に、右側について説明する。
【００１３】
第１実施形態のおむつ１Ａについて、詳述すると、おむつ１Ａは、伸長状態（図２参照）において、その長手方向（以下「Ｙ方向」という。Ｙ方向：中心線ＣＬに平行な方向をいう。）に、着用時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａの幅方向は、その長手方向（Ｙ方向）に直交する方向（以下「Ｘ方向」という。）である。図２，図３に示すように、腹側シート２Ａ及び背側シート２Ｂそれぞれの幅方向（Ｘ方向）の長さは、吸収性本体１２の幅方向（Ｘ方向）の長さよりも長い。
【００１４】
第１実施形態のおむつ１Ａにおいては、腹側シート２Ａは、図２に示すように、腹側シート本体２０Ａ、及び着用時に腹側シート本体２０Ａの下縁２００に沿って下方に延出する腹側延出部分２１Ａを備えている。ここで、「下方」とは、おむつ１Ａの長手方向（Ｙ方向）におけるおむつ１Ａの中心ＣＴ（図２参照）に向かう方向を意味する。具体的には、腹側シート本体２０Ａは、おむつ１の伸長状態（図２参照）において、おむつ幅方向（Ｘ方向）に長い長方形状をなしており、おむつ長手方向（Ｙ方向）に沿う左右一対の側縁部２０ａ，２０ａを有している。腹側延出部分２１Ａは、腹側シート本体２０Ａの下縁２００に沿って腹側シート本体２０Ａから下方に延出しており、おむつ１の伸長状態（図２参照）において、おむつ幅方向（Ｘ方向）に長い長方形状をなしており、おむつ長手方向（Ｙ方向）に沿う左右一対の側縁部２１ａ，２１ａを有している。
【００１５】
第１実施形態のおむつ１Ａにおいては、背側シート２Ｂは、図２に示すように、背側シート本体２０Ｂ及び着用時に背側シート本体２０Ｂの下縁２００に沿って下方に延出する背側延出部分２１Ｂを備えている。ここで、「下方」とは、腹側シート２Ａと同様に、おむつ１Ａの長手方向（Ｙ方向）におけるおむつ１Ａの中心ＣＴ（図２参照）に向かう方向を意味する。具体的には、背側シート本体２０Ｂは、おむつ１の伸長状態（図２参照）において、おむつ幅方向（Ｘ方向）に長い長方形状をなしており、おむつ長手方向（Ｙ方向）に沿う左右一対の側縁部２０ｂ，２０ｂを有している。背側延出部分２１Ｂは、背側シート本体２０Ｂの下縁２００に沿って背側シート本体２０Ｂから下方に延出しており、おむつ１の伸長状態（図２参照）において、おむつ幅方向（Ｘ方向）に長い長方形状をなしており、おむつ長手方向（Ｙ方向）に沿う左右一対の側縁部２１ｂ，２１ｂを有している。
【００１６】
第１実施形態のおむつ１Ａにおいては、腹側シート２Ａの両側縁部２ａ，２ａの一部と背側シート２Ｂの両側縁部２ｂ，２ｂの一部とが接合されてウエスト開口部ＷＯと一対のレッグ開口部ＬＯ，ＬＯとが形成されている。具体的には、腹側シート本体２０Ａの側縁部２０ａ，２０ａと背側シート本体２０Ｂの側縁部２０ｂ，２０ｂとは全域で接合され、腹側延出部分２１Ａの側縁部２１ａ，２１ａと背側シート本体２０Ｂの側縁部２１ｂ，２１ｂとは接合されていない。このように、腹側シート本体２０Ａの側縁部２０ａ，２０ａと背側シート本体２０Ｂの側縁部２０ｂ，２０ｂとが接合されて、おむつ１Ａには、サイドシール部４，４、ウエスト開口部ＷＯと一対のレッグ開口部ＬＯ，ＬＯとが形成される。この接合には、例えばヒートシール、高周波シール、超音波シール、接着剤等が用いられる。
【００１７】
図１に示すサイドシール部４の長手方向（Ｙ方向）の長さは、図２に示すように、腹側シート本体２０Ａ及び背側シート本体２０Ｂの長手方向（Ｙ方向）の長さＬ１と同じであり、腹側シート２Ａの長手方向（Ｙ方向）の長さＬａ及び背側シート２Ｂの長手方向（Ｙ方向）の長さＬｂの何れよりも短く形成されている。腹側シート２Ａには、サイドシール部４より下方に延出する、長手方向（Ｙ方向）の長さ（延出の長さ）Ｌ２の腹側延出部分２１Ａが形成されており、背側シート２Ｂには、サイドシール部４より下方に延出する、長手方向（Ｙ方向）の長さ（延出の長さ）Ｌ３の背側延出部分２１Ｂが形成されている。
【００１８】
着用時に着用者の背側において、着用者の臀部を十分に被覆する観点から、おむつ１Ａにおける腹側延出部分２１Ａ及び背側延出部分２１Ｂは、それらの延出開始位置が、おむつ１Ａの装着時における装着者の鼠径部に対応する位置であることが好ましい。具体的には、腹側延出部分２１Ａの延出の長さＬ２は、サイドシール部４（腹側シート本体２０Ａ）の長さＬ１の５〜１５０％であることが好ましく、２５〜７０％であることがより好ましい。更に、腹側延出部分２１Ａの延出の長さＬ２は、腹側シート２Ａの長さＬａの５〜６０％であることが好ましく、２０〜４０％であることがより好ましい。背側延出部分２１Ｂの延出の長さＬ３は、サイドシール部４（背側シート本体２０Ｂ）の長さＬ１の５〜１５０％であることが好ましく、２５〜７０％であることがより好ましい。更に、背側延出部分２１Ｂの延出の長さＬ３は、背側シート２Ｂの長さＬｂの５〜６０％であることが好ましく、２０〜４０％であることがより好ましい。尚、腹側延出部分２１Ａ及び背側延出部分２１Ｂそれぞれの延出の長さＬ２，Ｌ３は、１０ｍｍ以上であることが好ましく、２０ｍｍ以上であることがより好ましい。
【００１９】
腹側シート２Ａ及び背側シート２Ｂは、着用者を前側から見たときに見える肌の露出部分を減らして漏れに対する不安感を低減する観点からは、腹側延出部分２１Ａの延出の長さＬ２と背側延出部分２１Ｂの延出の長さＬ３とは、同じであることが好ましい。
【００２０】
他方、腹側シート２Ａ及び背側シート２Ｂは、臀部を被覆して過度の露出を防止しつつ、着用者の股部前側もある程度覆うようにした外観に優れたおむつを形成する観点観点からは、背側延出部分２１Ｂの延出長さＬ３を腹側延出部分２１Ａの延出長さＬ２よりも長くすることが好ましい。
【００２１】
腹側シート２Ａ及び背側シート２Ｂとしては、シート間に伸長状態で配された弾性部材の収縮によりギャザーを形成し伸縮性を発現するもの、又は、不織布自体が伸縮性を有する伸縮不織布を用いることができる。おむつ１Ａにおいては、図２，図３に示すように、おむつの外面をなす外層シート２２と、外層シート２２の内面側に配された内層シート２３と、両シート２２，２３間に伸長状態で配された複数本の糸状の弾性部材２４とを備え、それぞれ、ウエスト伸縮部Ｇ１，胴回り伸縮部Ｇ２及び延出部分伸縮部Ｇ３を形成している。
おむつ１Ａにおいては、図２に示すように、ウエスト伸縮部Ｇ１は、吸収性本体３の長手方向（Ｙ方向）の両端部３ａ，３ａそれぞれより外方に形成されており、延出部分伸縮部Ｇ３は、腹側シート２Ａの腹側延出部分２１Ａ及び背側シート２Ｂの背側延出部分２１Ｂそれぞれに形成されており、胴回り伸縮部Ｇ２は、腹側シート２Ａ及び背側シート２Ｂのそれぞれにおいて、ウエスト伸縮部Ｇ１と延出部分伸縮部Ｇ３との間に形成されている。胴回り伸縮部Ｇ２及び延出部分伸縮部Ｇ３は、おむつ１の幅方向（Ｘ方向）における、少なくとも、吸収性本体３の長手方向両側縁それぞれから幅方向（Ｘ方向）外方に位置する部分において伸縮性を発現している。
【００２２】
吸収性本体３は、図２，図３に示すように、縦長の長方形であり、長方形の吸収体３１と、吸収体３１の非肌当接面に配された吸収体外層材３２とから形成されている。本発明のパンツ型吸収性物品の展開状態において、吸収体外層材３２は、腹側シート２Ａから背側シート２Ｂに向かって、所定の長さまでは同じ幅であり、同じ幅の部位の背側シート２Ｂ側の端縁から背側シート２Ｂに向かってその幅が漸次広がるように形成されている。具体的には、伸長状態（図２参照）において、吸収体外層材３２は、腹側シート２Ａの下縁と背側シート２Ｂの下縁との間、即ち、腹側延出部分２１Ａの下縁２０１と、背側シート２Ｂの背側延出部分２１Ｂの下縁２０１との間に、腹側延出部分２１Ａの下縁２０１から背側延出部分２１Ｂの下縁２０１に向かって、所定の長さＬ４までは同じ幅Ｗ１に形成され、その同じ幅Ｗ１の部位の背側シート２Ｂ側の端縁３２ａから背側シート２Ｂに向かってその幅が漸次広がるように形成されており、背側延出部分２１Ｂの下縁２０１における吸収体外層材３２の幅Ｗ２が、幅Ｗ１より広く、背側部Ｂにおける吸収体外層材３２の長手方向（Ｙ方向）の端縁３２０ｂの幅Ｗ３が、幅Ｗ２より広く形成されている。尚、吸収体外層材３２は、同じ幅Ｗ１の端縁３２ａから背側シート２Ｂに向かってその幅が、図２に示すように、直線状に漸次広がるように形成されていてもよいし、曲線状又は段階的に漸次広がるように形成されていてもよい。
【００２３】
図２に示すように、腹側シート２Ａの下縁と背側シート２Ｂの下縁との間（本実施形態においては、腹側延出部分２１Ａの下縁２０１と、背側シート２Ｂの背側延出部分２１Ｂの下縁２０１と間）の長さＬ５は、１４０ｍｍ〜２９０ｍｍであることが好ましく、１１０ｍｍ〜２６０ｍｍであることが更に好ましい。上述した所定の長さＬ４は、１１０ｍｍ〜２６０ｍｍであることが好ましく、１３０ｍｍ〜２３０ｍｍであることが更に好ましい。上述した長さＬ５に対する上述した長さＬ４の比（Ｌ４／Ｌ５）は、０．２〜０．６であることが好ましく、０．３〜０．４であることが更に好ましい。
【００２４】
第１実施形態のおむつ１Ａにおいては、図２に示すように、吸収体外層材３２を構成する同じ幅Ｗ１の部分３２Ａは、その幅が長方形状の吸収体３１の幅と同じに形成されている。上述した幅Ｗ１は、１００ｍｍ〜１９０ｍｍであることが好ましく、１２０ｍｍ〜１７０ｍｍであることが更に好ましい。上述した幅Ｗ２は、１２０ｍｍ〜１４０ｍｍであることが好ましく、１４０ｍｍ〜２２０ｍｍであることが更に好ましい。上述した幅Ｗ３は、１４０ｍｍ〜２６０ｍｍであることが好ましく、１５０ｍｍ〜２５０ｍｍであることが更に好ましい。上述した幅Ｗ１に対する上述した幅Ｗ２の比（Ｗ２／Ｗ１）は、１．１〜１．４であることが好ましく、１．２〜１．３であることが更に好ましい。上述した幅Ｗ１に対する上述した幅Ｗ３の比（Ｗ３／Ｗ１）は、１．２〜１．５であることが好ましく、１．３〜１．４であることが更に好ましい。
【００２５】
第１実施形態のおむつ１Ａにおいては、吸収体３１は、図３に示すように、吸収体コア３１１、吸収体コア３１１を包むコアラップ３１２、コアラップ３１２の肌当接面を覆う表面シート３１３と、吸収体３１の長手方向（Ｙ方向）の両側部３１ｂ，３１ｂに起立する一対の立体ギャザー３１４とを有している。具体的には、図３に示すように、長方形状の吸収体３１は、繊維集合体に吸収性ポリマーが均一に分散含有されてなる長方形状の吸収体コア３１１と、吸収体コア３１１の肌当接面及び非肌当接面を被覆するコアラップ３１２と、コアラップ３１２で包まれた吸収体コア３１１の長手方向（Ｙ方向）外方及び幅方向（Ｘ方向）外方に延出し、コアラップ３１２の肌当接面を覆う長方形状の表面シート３１３とを備えている。また、図３に示すように、長方形状の吸収体３１は、コアラップ３１２で包まれた吸収体コア３１１の幅方向（Ｘ方向）の外方端縁から延出した表面シート３１３の部分が、コアラップ３１２で包まれた吸収体コア３１１の非肌当接面側に折り返されている。吸収体３１の長手方向（Ｙ方向）の両側部３１ｂ，３１ｂには、液抵抗性又は撥水性で且つ通気性の素材から構成された立体ギャザー３１４，３１４が設けられている。各立体ギャザー３１４の自由端部近傍には、弾性部材３１５が長手方向（Ｙ方向）に伸長した状態で配されている。立体ギャザー３１４は、おむつの着用時に弾性部材３１５の収縮により自由端部側が起立する。各立体ギャザー３１４の自由端部と反対側の端部は、図３に示すように、吸収体３１の非肌当接面側であって、表面シート３１３と後述する吸収体外層材３２を構成する裏面シート３２１との間に固定されている。
【００２６】
第１実施形態のおむつ１Ａにおいては、吸収体外層材３２は、表面シート３１３の非肌当接面にコアラップ３１２を介して配された裏面シート３２１と、裏面シート３２１の肌当接面を覆う不織布３２２とを有している。具体的には、図３に示すように、吸収体外層材３２は、裏面シート３２１と、裏面シート３２１と同大同形であって且つ裏面シート３２１の肌当接面を覆う不織布３２２とを備えている。
【００２７】
第１実施形態のおむつ１Ａにおいては、図２に示すように、吸収体外層材３２は、同じ幅Ｗ１の部位３２Ａと、部位３２Ａと別部材であって、部位３２Ａより背側シート２Ｂ側の部位３２Ｂとから形成されている。即ち、吸収体外層材３２の同じ幅Ｗ１の端縁３２ａにおいて、吸収体外層材３２は、部位３２Ａの端部と部位３２Ｂの端部とを重ね合わせ、その重ね合わせた部位を、接着剤又は融着により固着して形成されている。また、吸収体外層材３２の同じ幅Ｗ１の部分３２Ａは、その部分３２Ａと同形同大の裏面シート３２１及び裏面シート３２１の肌当接面を覆う不織布３２２とから形成されており、部分３２Ａより背側シート２Ｂ側の部分３２Ｂは、その部分３２Ｂと同形同大の裏面シート３２１及び裏面シート３２１の肌当接面を覆う不織布３２２とから形成されている。
【００２８】
吸収性本体３は、図２，図３に示すように、腹側シート２Ａの中央部及び背側シート２Ｂの中央部に亘って固定されている。吸収性本体３は、おむつ１Ａにおいては、図３に示すように、背側部Ｂにおいては、背側シート２Ｂの下端部を含む部位（背側延出部分２１Ｂ及び背側シート本体２０Ｂ）において、全域で固定されており、腹側部Ａについても背側部Ｂと同様に、腹側シート２Ａの下端部を含む部位（腹側延出部分２１Ａ及び腹側シート本体２０Ａ）において、全域で固定されている。
【００２９】
第１実施形態のパンツ型使い捨ておむつ１Ａの形成材料について説明する。
腹側シート２Ａ及び背側シート２Ｂを構成する外層シート２２と内層シート２３としては、通常、使い捨ておむつ等の吸収性物品に用いられるものであれば、特に制限なく用いることができる。例えば、外層シート２２及び内層シート２３としては、撥水性の不織布等を用いることができる。
【００３０】
吸収性本体３の吸収体３１を構成する吸収体コア３１１、コアラップ３１２、表面シート３１３、立体ギャザー３１４を形成するシートとしては、それぞれ、通常、使い捨ておむつ等の吸収性物品に用いられるものであれば、特に制限なく用いることができる。例えば、吸収体コア３１１としては、吸収性ポリマーの粒子及び繊維材料から構成されたものを用いることができ、コアラップ３１２としては、ティッシュペーパや液透過性の不織布等を特に制限なく用いることができ、立体ギャザー３１４を形成するシートとしては、伸縮性のフィルム、不織布、織物またはそれらの積層シート等を用いることができる。
【００３１】
吸収性本体３の吸収体外層材３２を構成する裏面シート３２１、裏面シート３２１の肌当接面を覆う不織布３２２としては、それぞれ、通常、使い捨ておむつ等の吸収性物品に用いられるものであれば、特に制限なく用いることができる。例えば、裏面シート３２としては、液不透過性又は撥水性の樹脂フィルムや樹脂フィルムと不織布の積層体等を用いることができ、不織布３２２としては、例えばスパンボンド不織布、スパンボンド−メルトブローン−スパンボンド不織布、スパンボンド−メルトブローン−メルトブローン−スパンボンド不織布、ニードルパンチ不織布、スパンレース不織布、エアスルー不織布等を用いることができる。
【００３２】
ウエスト伸縮部Ｇ１，胴回り伸縮部Ｇ２及び延出部分伸縮部Ｇ３を形成する弾性部材２４、及び立体ギャザー３１４に配される弾性部材３１５としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる
【００３３】
吸収性本体３と、腹側シート２Ａ及び背側シート２Ｂとの固定手段は、通常、使い捨ておむつ等の吸収性物品に用いられる接着剤や、ヒートエンボス、超音波エンボス、高周波エンボス等の融着手段が用いられる。表面シート３１３、裏面シート３２１、立体ギャザー３１４の固定も同様に、通常、使い捨ておむつ等の吸収性物品に用いられる接着剤やヒートエンボス、超音波エンボス、高周波エンボス等の融着手段が用いられる。サイドシール部４，４の接合には、例えばヒートシール、高周波シール、超音波シール、接着剤等が用いられる。
【００３４】
上述した本発明の第１施形態のパンツ型使い捨ておむつ１Ａを使用した際の作用効果について説明する。
第１実施形態のおむつ１Ａは、図１，図２に示すように、着用時に着用者の腹側に配される腹側シート２Ａと、着用時に着用者の背側に配される背側シート２Ｂと、腹側シート２Ａ及び背側シート２Ｂに亘って固定された吸収性本体３とを具備するパンツ型使い捨ておむつであるため、脚を動かし易い。また、第１実施形態のおむつ１Ａは、図２に示すように、長方形状の吸収体３１と、吸収体３１の非肌当接面に配された吸収体外層材３２とから形成されており、吸収体外層材３２は、腹側シート２Ａから背側シート２Ｂに向かって、所定の長さまでは同じ幅Ｗ１である為、履かせ易く、着用時に脚を動かし易い。また、第１実施形態のおむつ１Ａは、図２に示すように、吸収体外層材３２が、同じ幅Ｗ１の端縁３２ａから背側シート２Ｂに向かってその幅Ｗ１が漸次広がるように形成されている。その為、着用者の臀部を十分に被覆することができ、軟便などを十分に捕捉することができる。
【００３５】
また、第１実施形態のおむつ１Ａにおいては、吸収体外層材３２を構成する同じ幅Ｗ１の部位３２Ａは、その幅が長方形状の吸収体３１の幅と同じに形成されている。その為、吸収体３１の非肌当接面側に配された吸収体外層材３２を構成する裏面シート３２１により、漏れの発生を抑えることができる。また、裏面シート３２１の非肌当接面は、不織布３２２で覆われているため、肌触りがよい。
【００３６】
また、第１実施形態のおむつ１Ａにおいては、図２に示すように、吸収体外層材３２は、同じ幅Ｗ１の端縁３２ａにおいて、部位３２１の端部と部位３２２の端部とを重ね合わせ、その重ね合わせた部位を、接着剤又は融着により固着して形成されている。その為、固着した部位、即ち、吸収体外層材３２の幅が漸次広がり始める部位（端縁３２ａ）を起点として折れ曲がり易く、履かせ易い。
【００３７】
また、第１実施形態のおむつ１Ａにおいては、図１，図２に示すように、背側シート２Ｂは、背側シート本体２０Ｂの下縁２００に沿って下方に延出する背側延出部分２１Ｂを備えているため、着用者の臀部を十分に被覆することができる。
【００３８】
また、腹側シート２Ａも、図２に示すように、腹側シート本体２０Ａの下縁２００に沿って下方に延出する腹側延出部分２１Ａを備え、延出部分伸縮部Ｇ３を形成している。このように、腹側延出部分２１Ａに幅方向（Ｘ方向）の伸縮性が付与されている為、腹側延出部分２１Ａの長手方向（Ｙ方向）におけるおむつ中心ＣＴ側の端縁が、着用者の脚に柔軟に当たると共に、おむつ１Ａのズレ落ちを効果的に防止することができる。
【００３９】
次に、本発明の第２実施形態のパンツ型使い捨ておむつについて、図４〜図５に基づいて説明する。
第２実施形態のパンツ型使い捨ておむつ１Ｂ（以下、「おむつ１Ｂ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００４０】
第２実施形態のおむつ１Ｂは、図４に示すように、腹側シート２Ａが、腹側シート本体２０Ａを備え、腹側延出部分２１Ａを備えていない点がおむつ１Ａと異なる。また、第２実施形態のおむつ１Ｂは、吸収体外層材３２が、同じ幅Ｗ１の部位３２Ａと、部位３２Ａより背側シート２Ｂ側の部位３２Ｂとが連続的に形成されている点がおむつ１Ａと異なる。また、第２実施形態のおむつ１Ｂは、吸収体外層材３２が、裏面シート３２１のみから形成されている点がおむつ１Ａと異なる。
【００４１】
第２実施形態のおむつ１Ｂについては、腹側シート２Ａは、図５に示すように、腹側シート本体２０Ａから形成されている。具体的には、腹側シート本体２０Ａは、おむつ１の伸長状態（図２参照）において、おむつ幅方向（Ｘ方向）に長い長方形状をなしており、おむつ長手方向（Ｙ方向）に沿う左右一対の側縁部２０ａ，２０ａを有している。
【００４２】
第２実施形態のおむつ１Ｂについては、背側シート２Ｂは、図５に示すように、背側シート本体２０Ｂ及び着用時に背側シート本体２０Ｂの下縁２００に沿って下方に延出する背側延出部分２１Ｂを備えている。具体的には、背側シート本体２０Ｂは、おむつ１Ｂの伸長状態（図５参照）において、おむつ幅方向（Ｘ方向）に長い長方形状をなしており、おむつ長手方向（Ｙ方向）に沿う左右一対の側縁部２０ｂ，２０ｂを有している。背側延出部分２１Ｂは、背側シート本体２０Ｂの下縁２００に沿って背側シート本体２０Ｂから下方に延出しており、おむつ１Ｂの伸長状態（図５参照）において、おむつ幅方向（Ｘ方向）に長い長方形状をなしており、おむつ長手方向（Ｙ方向）に沿う左右一対の側縁部２１ｂ，２１ｂを有している。
【００４３】
第２実施形態のおむつ１Ｂについては、腹側シート２Ａの両側縁部２ａ，２ａの一部と背側シート２Ｂの両側縁部２ｂ，２ｂの一部とが接合されてウエスト開口部ＷＯと一対のレッグ開口部ＬＯ，ＬＯとが形成されている。具体的には、腹側シート本体２０Ａの側縁部２０ａ，２０ａと背側シート本体２０Ｂの側縁部２０ｂ，２０ｂとは全域で接合され、背側シート本体２０Ｂの側縁部２１ｂ，２１ｂは接合されていない。このように、腹側シート本体２０Ａの側縁部２０ａ，２０ａと背側シート本体２０Ｂの側縁部２０ｂ，２０ｂとが接合されて、図４に示すように、おむつ１Ｂには、サイドシール部４，４、ウエスト開口部ＷＯと一対のレッグ開口部ＬＯ，ＬＯとが形成される。この接合には、例えばヒートシール、高周波シール、超音波シール、接着剤等が用いられる。
【００４４】
図４に示すサイドシール部４の長手方向（Ｙ方向）の長さは、図５に示すように、腹側シート本体２０Ａ及び背側シート本体２０Ｂの長手方向（Ｙ方向）の長さＬ１と同じであり、背側シート２Ｂの長手方向（Ｙ方向）の長さＬｂの何れよりも短く形成されている。背側シート２Ｂには、サイドシール部４より下方に延出する、長手方向（Ｙ方向）の長さ（延出の長さ）Ｌ３の背側延出部分２１Ｂが形成されている。このように、おむつ１Ｂにおいては、腹側シート２Ａに腹側延出部分２１Ａが形成されておらず、腹側シート２Ａに延出部分伸縮部Ｇ３も形成されていない。
【００４５】
第２実施形態のおむつ１Ｂにおいては、吸収体外層材３２は、図６に示すように、表面シート３１３の非肌当接面にコアラップ３１２を介して配された裏面シート３２１を有している。第２実施形態のおむつ１Ｂにおいては、図５に示すように、吸収体外層材３２を構成する裏面シート３２１は、部分３２Ａと部分３２Ｂとが分離されておらず、連続的に形成されている。
【００４６】
第２実施形態のパンツ型使い捨ておむつ１Ｂの形成材料について説明する。第２実施形態のおむつ１Ｂについては、第１実施形態のパンツ型使い捨ておむつ１Ａの形成材料と同様である。
【００４７】
上述した本発明の第２実施形態のパンツ型使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００４８】
第２実施形態のおむつ１Ｂは、腹側部Ａに腹側延出部分２１Ａが形成されていないので、見栄えがよい。
【００４９】
本発明のパンツ型使い捨ておむつは、上述の第１，第２実施形態のパンツ型使い捨ておむつに何ら制限されるものではなく、適宜変更可能である。また、上述の第１，第２実施形態のパンツ型使い捨ておむつにおける各構成要件は、本発明の趣旨を損なわない範囲で、適宜組み合わせて実施できる。
【００５０】
例えば、上述の第１，第２実施形態のパンツ型使い捨ておむつ１Ａ，１Ｂにおいては、図２，図５に示すように、背側シート２Ｂは、着用時に背側シート本体２０Ｂの下縁２００に沿って下方に延出する背側延出部分２１Ｂを備えているが、備えてなくてもよい。
【００５１】
また、上述の第１，第２実施形態のパンツ型使い捨ておむつ１Ａ，１Ｂにおいては、図２，図５に示すように、吸収体外層材３２を構成する同じ幅Ｗ１の部分３２Ａは、その幅が長方形状の吸収体３１の幅と同じに形成されているが、同じでなくてもよい。
【００５２】
また、パンツ型吸収性物品は、幼児又は成人用のパンツ型使い捨ておむつの他、パンツ型の生理用ナプキン等であってもよい。
【符号の説明】
【００５３】
１Ａ，１Ｂ  パンツ型使い捨ておむつ
２Ａ  腹側シート
２０Ａ  腹側シート本体
２００  腹側シート本体の下縁
２０ａ  腹側シート本体の側縁部
２１Ａ  腹側延出部分
２０１  腹側延出部分の下縁
２１ａ  腹側延出部分の側縁部
２Ｂ  背側シート
２０Ｂ  背側シート本体
２００  背側シート本体の下縁
２０ｂ  背側シート本体の側縁部
２１Ｂ  背側延出部分
２０１  背側延出部分の下縁
２１ｂ  背側延出部分の側縁部
２２  外層シート
２３  内層シート
２４  弾性部材
３  吸収性本体
３ａ  吸収性本体の長手方向（Ｙ方向）の端部
３０２ａ
３１  吸収体
３１１  吸収体コア
３１２  コアラップ
３１３  表面シート
３１４  立体ギャザー
３１５  弾性部材
３１ｂ  吸収体３１の長手方向（Ｙ方向）の側部
３２  吸収体外層材
３２ａ  同じ幅Ｗ１の端縁
３２Ａ  同じ幅Ｗ１の部分
３２Ｂ  別部材
３２１  裏面シート
３２２  不織布
３２０ｂ  吸収体外層材３２の長手方向（Ｙ方向）の端縁
４  サイドシール部
Ａ  腹側部，Ｂ  背側部，Ｃ  股下部
ＣＬ  おむつの長手方向に延びる中心線，ＣＴ  おむつの中心
【図１】
0005528769.tif 000002
【図２】
0005528769.tif 000003
【図３】
0005528769.tif 000004
【図４】
0005528769.tif 000005
【図５】
0005528769.tif 000006
【図６】
0005528769.tif 000007